(57)【要約】【課題】  燃焼火炎の状態が悪化していることを促す警告音報知を行った後、自然に燃焼火炎の状態が回復した場合でも、使用者に何の警告を行ったのかを容易に確認してもらうことのできる温風暖房機の制御装置を提供する。【解決手段】  バーナ２とフレームロッド３との間に燃焼火炎を介して流れる炎電流を検知する炎電流検知手段４によって検知された炎電流値が、所定電流値未満となっている間は操作表示部５内に設けられた換気ランプ５ａに換気を促す表示を継続させると共に、所定のタイミング毎に音報知手段６に換気を促す警告音を一定時間報知させ、この警告音報知の開始から所定時間が経過するまでは、炎電流値が所定電流値以上に回復しても前記換気ランプ５ａに換気を促す表示を継続させる制御手段８とを備えた。【選択図】        図１
2006090675.tif 000002
【特許請求の範囲】
【請求項１】
燃料を燃焼するバーナと、このバーナ近傍に配設したフレームロッドと、前記バーナと前記フレームロッドとの間に燃焼火炎を介して流れる炎電流を検知する炎電流検知手段と、使用者に換気を促す換気表示手段と、確認音や警告音等を発する音報知手段と、この音報知手段によって使用者に換気を促す警告音報知が開始されてからの時間をカウントする計時手段と、前記炎電流検知手段によって検知された炎電流値が所定電流値未満となっている間は、前記換気表示手段に換気を促す表示を継続させると共に、所定のタイミング毎に前記音報知手段に換気を促す警告音を一定時間報知させ、前記計時手段がカウントアップするまでは炎電流値が所定電流値以上に回復しても前記換気表示手段に換気を促す表示を継続させる制御手段とを備えたことを特徴とする温風暖房機の制御装置。
【請求項２】
燃料を燃焼するバーナと、このバーナ近傍に配設したフレームロッドと、前記バーナと前記フレームロッドとの間に燃焼火炎を介して流れる炎電流を検知する炎電流検知手段と、使用者に換気を促す換気表示手段と、この換気表示手段による換気を促す表示を一旦停止させて、再度前記炎電流検知手段による炎電流検知を開始させるための換気再検知スイッチと、確認音や警告音等を発する音報知手段と、前記炎電流検知手段によって検知された炎電流値が所定電流値未満となっている間は、前記換気表示手段に換気を促す表示を継続させると共に、所定のタイミング毎に前記音報知手段に換気を促す警告音を一定時間報知させ、前記換気再検知スイッチが操作されるまでは、炎電流値が所定電流値以上に回復しても前記換気表示手段に換気を促す表示を継続させる制御手段とを備えたことを特徴とする温風暖房機の制御装置。
【発明の詳細な説明】
【技術分野】
【０００１】
本発明は、石油ファンヒーター等の温風暖房機の制御装置に関するものである。
【背景技術】
【０００２】
一般に石油ファンヒーター等の室内開放型温風暖房機は室内空気を燃焼用空気として用いるため、密閉した室内で長時間燃焼を継続すると室内の酸素濃度が低下していき、これに伴って燃焼火炎の状態が悪化していく、そして、このまま同じ状態で燃焼を継続していくと一酸化炭素が発生して人命に危害を与えるという事態が発生する可能性がある。
【０００３】
そこで、この種の温風暖房機においては、燃焼火炎の状態と相関のある燃焼火炎を流れる電流値（以降、炎電流値と呼ぶ）を検知しており、この炎電流値が所定電流値未満になると、室内の酸素濃度が欠乏している状態として燃焼を停止させるようになっている（例えば、特許文献１参照）。
【０００４】
【特許文献１】特開平６−２６６４４号公報（第２頁、図４）
【発明の開示】
【発明が解決しようとする課題】
【０００５】
しかしながら、上記の方法では、室内の酸素濃度が欠乏すると使用者の意志に反して燃焼を停止してしまうので、非常に使い勝手が悪い。そこで、上記酸欠異常電流値よりも高い酸欠警告電流値（例えば酸素濃度約１９％と判定される炎電流値）を設定しておき、燃焼火炎を流れる炎電流値がこの酸欠警告電流値未満になった場合に、使用者に対して酸欠状態の警告表示を行い、それと同時に所定のタイミング毎に一定時間警告音（例えば８秒間のブザー音）によって報知するようになっている。
【０００６】
この方法により、室内の酸素濃度が欠乏してきて炎電流値が酸欠警告電流値未満になると、通常、使用者は、まず温風暖房機からの警告音を聴いて何らかの警告が行われていることを知り、次に温風暖房機を見れば、酸欠状態を示す警告表示が行われていることが分かるので、これによって室内が酸欠状態になっていることを確認する。そして、使用者によって部屋の換気が行われて炎電流値が酸欠警告電流値以上に回復すれば、温風暖房機は酸欠状態の警告表示を停止し、燃焼を継続することが可能となる。
【０００７】
一方、室内環境は刻一刻と変化しており、例えば、すきま風が入る等で、人の手を介さなくても、絶えず酸素濃度は自然に変化している。また、温風暖房機は酸素濃度を直接測定しているわけではなくて、酸素濃度と相関のある炎電流値によって間接的に測定しているため、その測定値は、気温，湿度，燃焼量といった炎電流値の変化要因の影響を少なからず受けてしまう。つまり、室内環境の変化によって、炎電流値が酸欠警告電流値未満となったとしても、その後、予期せぬタイミングで炎電流値が酸欠警告電流値以上に回復することが、人の手を介さなくても自然に起こり得る。
【０００８】
そして、この炎電流値の自然回復が、炎電流値が酸欠警告電流値未満となっていることを促す警告音の報知開始直後であり、かつ警告音を聴いた使用者が温風暖房機を見るまでの間に起こった場合、使用者が温風暖房機を見たときには、すでに酸欠状態の警告表示が停止してしまっているため、使用者は換気の警告が行われたことを確認することができなくなってしまうという問題点があった。
【０００９】
また、使用者の警告音を聴いてから温風暖房機を見るまでの時間が長くなると、炎電流値の自然回復の起こる機会を多く与えてしまうので、例えば、使用者が手の離せない状態のときには、換気の警告が行われたことを確認できる可能性が少なくなってしまうという問題点があった。
【００１０】
本発明は、上記のような問題点を解決するもので、炎電流値の自然回復が、炎電流値が酸欠警告電流値未満となっていることを促す警告音の報知開始直後であり、かつ警告音を聴いた使用者が温風暖房機を見るまでの間に起こった場合でも、使用者は換気の警告が行われたことを容易に確認することのできる温風暖房機の制御装置を提供することを目的としている。
【００１１】
また、例えば、使用者が手の離せない状態等で、警告音を聴いてから温風暖房機を見るまでの時間が長くなってしまうような場合でも、換気の警告が行われたことを確実に確認することのできる温風暖房機の制御装置を提供することを目的としている。
【課題を解決するための手段】
【００１２】
本発明の温風暖房機の制御装置は、燃料を燃焼するバーナと、このバーナ近傍に配設したフレームロッドと、前記バーナと前記フレームロッドとの間に燃焼火炎を介して流れる炎電流を検知する炎電流検知手段と、使用者に換気を促す換気表示手段と、確認音や警告音等を発する音報知手段と、この音報知手段によって使用者に換気を促す警告音報知が開始されてからの時間をカウントする計時手段と、前記炎電流検知手段によって検知された炎電流値が所定電流値未満となっている間は、前記換気表示手段に換気を促す表示を継続させると共に、所定のタイミング毎に前記音報知手段に換気を促す警告音を一定時間報知させ、前記計時手段がカウントアップするまでは炎電流値が所定電流値以上に回復しても前記換気表示手段に換気を促す表示を継続させる制御手段とを備えたものである。
【発明の効果】
【００１３】
本発明によれば、警告音報知の開始から所定時間が経過するまでは、炎電流値が所定電流値以上に回復しても前記換気表示手段に換気を促す表示を継続させるようにしているため、炎電流値の自然回復が、炎電流値が酸欠警告電流値未満となっていることを促す警告音の報知開始直後であり、かつ警告音を聴いた使用者が温風暖房機を見るまでの間に起こった場合でも、使用者は換気の警告が行われたことを容易に確認することができ、使用者に不安感を与えることがなくなる。
【発明を実施するための最良の形態】
【００１４】
実施の形態１．
以下、本発明の実施の形態１を図に基づいて説明する。
【００１５】
図１は本発明の実施の形態１を示す温風暖房機の制御装置のブロック図、図２は本発明の実施の形態１を示す温風暖房機の操作表示部の拡大図である。
【００１６】
図において、１は温風暖房機の本体、２は熱源としてのバーナ、３はバーナ２の近傍に配設されたフレームロッド、４はバーナ２とフレームロッド３との間に燃焼火炎を介して流れる炎電流値Ｉｆを検知する炎電流検知手段、５は温風暖房機の操作表示部で、この操作表示部５は炎電流検知手段４によって検知された炎電流値Ｉｆの状態を示す換気ランプ５ａを含むバーナ２の燃焼状態等を表示する表示器や各種設定を行う複数のスイッチから構成している。更に、６は操作表示部５の各種スイッチが押されたときに鳴らす確認音や温風暖房機の警告音等を発する音報知手段、７は音報知手段６による警告音の報知開始からの時間を計時する計時手段、８は炎電流検知手段４からの検知信号や操作表示部５における各種スイッチ操作に基づいて、予め記憶されたプログラムに従ってバーナ２での燃焼や操作表示部５の表示等、温風暖房機全体の制御を行う制御手段である。
【００１７】
次に、上記実施の形態１の動作を図３に基づいて説明する。
【００１８】
図３は本発明の実施の形態１を示す温風暖房機の制御動作のフローチャートである。
【００１９】
図３において、温風暖房機の燃焼中は、常に炎電流検知手段４によって検知される炎電流値Ｉｆが制御手段８に入力されており、制御手段８は入力された炎電流値Ｉｆが予め設定された所定の酸欠警告電流値Ｉｆ１未満となった場合に（ステップ１０）、操作表示部５の換気ランプ５ａを点滅する（ステップ１１）。更に、使用者に煩わしさを感じさせないような予め設定された所定のタイミング（例えば、換気ランプ５ａを点滅開始してからすぐのタイミングと以降１５分置きのタイミング）毎に（ステップ１２）、音報知手段６により警告音報知を行うと共に（ステップ１３）、この警告音報知の開始タイミングから計時手段７のカウントを開始する（ステップ１４）。その後、炎電流値Ｉｆが更に低下して予め設定された所定の酸欠異常電流値Ｉｆ２未満となった場合には（ステップ１５）、換気ランプ５ａを点灯し（ステップ１６）、温風暖房機の燃焼動作を停止する（ステップ１７）。また、一旦炎電流値Ｉｆが酸欠警告電流知Ｉｆ１未満となった後、人為的、あるいは自然に酸欠警告電流値Ｉｆ１以上に回復した場合は（ステップ１０）、前記計時手段７がカウントアップしている場合は（ステップ１８）、換気ランプ５ａを消灯し（ステップ２０）、カウントアップしていない場合には（ステップ１８）、カウントアップするまで（例えば３０秒間）換気ランプ５ａの点滅を継続する（ステップ１９）。
【００２０】
以上のように、本発明の実施の形態１によれば、炎電流検知手段４によって検知された炎電流値Ｉｆが酸欠警告電流値Ｉｆ１未満である場合、操作表示部５の換気ランプ５ａを点滅させると共に、所定のタイミング毎に音報知手段６により警告音報知を行い、この警告音報知の開始から所定時間が経過するまでは、たとえ炎電流値Ｉｆが酸欠警告電流値Ｉｆ１以上に回復しても換気ランプ５ａの点滅を継続させるようにしているため、警告音報知を聴いた使用者が温風暖房機を見るまでの間に炎電流値Ｉｆが酸欠警告電流値Ｉｆ１以上に回復したとしても、使用者は換気ランプ５ａの点滅を見ることが可能で、換気の警告が行われたことを容易に確認することができる。
【００２１】
実施の形態２．
以下、本発明の実施の形態２を図に基づいて説明する。
【００２２】
図４は本発明の実施の形態２を示す温風暖房機の操作表示部の拡大図である。
【００２３】
図４において、５ｂは温風暖房機の操作表示部５内に設けられ、同じく操作表示部５内に設けられた換気ランプ５ａによる換気を促す表示を一旦停止させて、再度前記炎電流検知手段４による炎電流検知を開始させるための換気再検知スイッチである。また、温風暖房機の制御装置のブロック図に関しては、実施の形態１で示した図１の構成と同一なので、説明は省略する。
【００２４】
次に、上記実施の形態２の動作を図５に基づいて説明する。
【００２５】
図５は本発明の実施の形態２を示す温風暖房機の制御動作のフローチャートである。
【００２６】
図５において、温風暖房機の燃焼中は、常に炎電流検知手段４によって検知される炎電流値Ｉｆが制御手段８に入力されており、制御手段８は入力された炎電流値Ｉｆが予め設定された所定の酸欠警告電流値Ｉｆ１未満となった場合に（ステップ１０）、操作表示部５の換気ランプ５ａを点滅すると共に（ステップ１１）、使用者に煩わしさを感じさせないような予め設定された所定のタイミング（例えば、換気ランプ５ａを点滅開始してからすぐのタイミングと以降１５分置きのタイミング）毎に（ステップ１２）、音報知手段６により警告音報知を行う（ステップ１３）。その後、炎電流値Ｉｆが更に低下して予め設定された所定の酸欠異常電流値Ｉｆ２未満となった場合には（ステップ１５）、換気ランプ５ａを点灯し（ステップ１６）、温風暖房機の燃焼動作を停止する（ステップ１７）。また、一旦炎電流値Ｉｆが酸欠警告電流知Ｉｆ１未満となった後、人為的、あるいは自然に酸欠警告電流値Ｉｆ１以上に回復した場合は（ステップ１０）、換気再検知スイッチ５ｂが押されるまでは（ステップ２２）、換気ランプ５ａの点滅を継続し（ステップ２３）、換気再検知スイッチ５ｂが押されると（ステップ２２）、換気ランプ５ｂを消灯する（ステップ２４）。尚、ステップ２１は、換気ランプ５ａの点滅中のみ換気再検知スイッチ５ｂの操作（ステップ２２）を受け付けるために設けた判別処理である。
【００２７】
以上のように、本発明の実施の形態２によれば、炎電流検知手段４によって検知された炎電流値Ｉｆが酸欠警告電流値Ｉｆ１未満である場合、操作表示部５の換気ランプ５ａを点滅させると共に、所定のタイミング毎に音報知手段６により警告音報知を行い、一旦換気ランプ５ａが点滅を開始すると、たとえ炎電流値Ｉｆが酸欠警告電流値Ｉｆ１以上に回復しても、換気再検知スイッチ５ｂが押されるまでは、換気ランプ５ａの点滅を継続するようにしている。つまり、一旦換気ランプが点滅を開始すると、使用者は換気ランプ５ａの点滅を見て、意識的に換気再検知スイッチ５ｂを押さない限り、換気ランプ５ａを消灯させることができないので、警告音報知を聴いた使用者は絶対に換気ランプ５ａの点滅を見ることになり、換気の警告が行われたことを必ず確認することができる。
【図面の簡単な説明】
【００２８】
【図１】本発明の実施の形態１を示す温風暖房機の制御装置のブロック図。
【図２】本発明の実施の形態１を示す温風暖房機の操作表示部の拡大図。
【図３】本発明の実施の形態１を示す温風暖房機の制御動作のフローチャート。
【図４】本発明の実施の形態２を示す温風暖房機の操作表示部の拡大図。
【図５】本発明の実施の形態２を示す温風暖房機の制御動作のフローチャート。
【符号の説明】
【００２９】
１  本体
２  バーナ
３  フレームロッド
４  炎電流検知手段
５  操作表示部
５ａ  換気ランプ
５ａ  換気再検知スイッチ
６  音報知手段
７  計時手段
８  制御手段
Ｆ  燃焼火炎
【図１】
2006090675.tif 000003
【図２】
2006090675.tif 000004
【図３】
2006090675.tif 000005
【図４】
2006090675.tif 000006
【図５】
2006090675.tif 000007